(57)【要約】  本発明は、選択された金属イオンと接触すると変色するように、金属錯体染料及び界面活性剤を含む組成物に関するものである。【特許請求の範囲】
【請求項１】
有効量の金属錯体染料を非錯体型で含む組成物であって、好ましくは該有効量は０．００１〜０．５重量％、より好ましくは０．００１〜０．２重量％であり、好ましくは該金属錯体染料はアルカリ土類金属イオン、希土類金属イオン、遷移金属イオン、及びこれらの混合物と錯体を形成し、最も好ましくは該組成物はカルシウム、マグネシウム、又は鉄から選択される金属イオンと錯体を形成する該金属錯体染料と約０．１〜約４０重量％の界面活性剤とを含むことを特徴とする組成物。
【請求項２】
前記金属錯体染料が金属イオンと錯体を形成する場合、可視表示をもたらす請求項１に記載の組成物であって、好ましくは前記可視表示が、溶液の吸収波長がλｍａｘ＝５００〜６５０ナノメートルを特徴とした色の変化であることを特徴とする請求項１に記載の組成物。
【請求項３】
前記金属錯体染料が、以下の群ａ）〜ｉ）から成る群から選択されることを特徴とする請求項１に記載の組成物。
ａ）
【化１】
2008516047.tif 000026
（式中、Ａはそれぞれの環構造上の２つの水素、又はＯから選択され；Ｄは水素、メチル（−ＣＨ3）、又は−ＣＨ（ＣＨ3）2から選択され；Ｇは−ＣＨ2Ｎ（ＣＨ2ＣＯＯＨ）2、又は−ＯＨから選択され；Ｊは水素、又はメチル（−ＣＨ3）から選択され；−Ｌ−ＭはＯであり；Ｑ〜Ｒは−Ｃ＝Ｏ（二重結合酸素）又は−ＳＯ2部分であり；Ｔは水素、又はメチル（−ＣＨ3）から選択され；Ｕは−ＣＨ2Ｎ（ＣＨ2ＣＯＯＨ）2、又は−ＯＨから選択され；Ｖは−ＯＨとして選択され；Ｗは水素、メチル（−ＣＨ3）、又はＣＨ（ＣＨ3）2から選択される。）
ｂ）
【化２】
2008516047.tif 000027
（式中、Ａ’はそれぞれの環構造上の２つの水素、又はＯから選択され；Ｄ’は−ＯＨ、メチル（−ＣＨ3）又は−ＣＨ（ＣＨ3）2から選択され；Ｅ’は＝Ｏであり；Ｇ’は水素、又は−ＣＨ2Ｎ（ＣＨ2ＣＯＯＨ）2から選択され；Ｊ’は水素、又はメチル（−ＣＨ3）から選択され；Ｌ’は−ＳＯ3-から選択され；Ｍ’は水素、又はメチル（−ＣＨ3）から選択され；Ｑ’は水素、又は−ＣＨ2Ｎ（ＣＨ2ＣＯＯＨ）2から選択され；Ｒ’は−ＯＨであり；Ｔ’は−ＯＨ、メチル（−ＣＨ3）又は−ＣＨ（ＣＨ3）2から選択される。）
ｃ）
【化３】
2008516047.tif 000028
（式中、Ｌ’’は水素、−ＣＯＯＨ、又はＳＯ3-から選択され；Ｇ’’およびＪ’’は
【化４】
2008516047.tif 000029
又は
【化５】
2008516047.tif 000030
から選択される。）
ｄ）
【化６】
2008516047.tif 000031
（式中、Ｄ’’’及びＥ’’’は水素から選択されるか、又は、一緒になって
【化７】
2008516047.tif 000032
又は
【化８】
2008516047.tif 000033
を形成するように選択され；Ｇ’’’は水素であり；Ｊ’’’は水素、又は−ＳＯ3-から選択され；Ｌ’’’及びＭ’’’は水素から選択されるか、又は共に組み合わせて
【化９】
2008516047.tif 000034
又は
【化１０】
2008516047.tif 000035
から選択され；Ｑ’’’は水素又は−ＳＯ3-から選択され；Ｒ’’’は水素、及び‘
【化１１】
2008516047.tif 000036
から選択される。）
ｅ）
【化１２】
2008516047.tif 000037
ｆ）
【化１３】
2008516047.tif 000038
（式中、Ａ4は−ＯＣＨ3から選択され、Ｄ4は−ＮＨ2から選択される。）
ｇ）
【化１４】
2008516047.tif 000039
（式中、Ａ5、Ｄ5、Ｊ5及びＧ5はメチル（−ＣＨ3）であり；Ｅ5は−ＣＨ2−部分である。）
ｈ）
【化１５】
2008516047.tif 000040
ｉ）
【化１６】
2008516047.tif 000041
【請求項４】
前記界面活性剤が以下の（ａ）〜（ｅ）から成る群から選択されることを特徴とする請求項１に記載の組成物。
（ａ）組成物の約０．１〜約４０重量％のアミンオキシド、
（ｂ）組成物の約１０〜約４０重量％のＣ10〜Ｃ20のアルキル又はヒドロキシアルキルスルフェート、又はスルフォネート、
（ｃ）組成物の約０．１〜約４０重量％の非イオン性界面活性剤、
（ｄ）組成物の約０．１〜約４０重量％のカチオン性界面活性剤、又は
（ｅ）これらの混合物。
【請求項５】
前記組成物が大量の水中に希釈されていることを特徴とする請求項１の組成物。
【請求項６】
前記組成物が液体洗剤組成物であり、該液体洗剤組成物基準で３０〜８０重量％の水性液体キャリアが更に含まれていることを特徴とする請求項１に記載の組成物。
【請求項７】
有効量の金属イオンが含まれている大量の水中への希釈により、可視表示をもたらすことを特徴とする、金属錯体染料及び界面活性剤を含む組成物の使用。
【発明の詳細な説明】
【技術分野】
【０００１】
本発明は、金属錯体染料及び界面活性剤が含有されている洗浄又はすすぎ目的の組成物に関するもので、前記組成物は大量の水中への希釈により可視表示をもたらす。
【背景技術】
【０００２】
食器類又は衣類などの物品を一定量の水中で洗浄又はすすぎをする際に使われる洗浄溶液は、その物品類からの汚れを蓄積させ、様々な物品類を洗浄又はすすいだ後に、赤褐色の色相を呈することが多い。そのような赤褐色の水は「汚れて」おり、更なる使用には不向きであると認識される。従来の染料で、そのような赤褐色の水をマスキングしようと試みられていたが、これは洗浄製品の他の美観に影響を与え、消費者にとって許容できる結果をもたらしたとは言えない。
【０００３】
キレート化剤は、洗浄製品中で用いられている。しかし、これらキレート化剤のタイプは、洗浄又はすすぎに利用される大量の水の色の美観には影響を与えず、これらキレート化剤のタイプは、錯化で色は変わらない。それどころか、既知のキレート化剤は、洗浄製品の洗浄に影響を与える大量の水からイオンを除去する。
【発明の開示】
【発明が解決しようとする課題】
【０００４】
したがって、物品類を一定量の水中で洗浄又はすすいだ後に赤褐色の水の色をマスキングできる、許容できる美観を備えた洗浄製品を得る必要性がある。
【課題を解決するための手段】
【０００５】
本発明は、非錯体化型状の有効な金属錯体染料、及び約０．１〜約４０重量％の界面活性剤が含有されている組成物に関するものである。
【０００６】
本発明は更に、有効量の金属イオンを含む大量の水中への希釈により可視表示をもたらす、金属錯体染料及び界面活性剤を含む組成物の使用に関するものである。
【０００７】
本発明は更に、大量の水中で汚れの色をマスキングする、金属錯体染料及び界面活性剤を含む組成物の使用に関するものである。
【０００８】
本発明は更に、石鹸泡の色を向上させる、金属錯体染料及び界面活性剤を含む組成物の使用に関するものである。
【発明を実施するための最良の形態】
【０００９】
本明細書で使用する時、「液体食器用洗剤組成物」は、手動で（すなわち手で）食器を洗う際に用いる組成物、及び前記組成物が希釈させた形で含有されているあらゆる溶液を意味する。前記組成物は一般的には、実質的に高い起泡性又は発泡性を備えている。
【００１０】
本明細書で使用する時、「洗濯用洗剤組成物」は、衣類及びその他の布地を洗う際に用いる組成物、並びに、前記組成物が希釈された形で含有されているあらゆる溶液を意味する。前記組成物は一般的には、実質的に低い起泡性又は発泡性を備えている。
【００１１】
本明細書で使用する時、「大量の水」は、バケツやシンクなどの容器中ですすぎ又は洗浄行為を行うために十分な量の水を意味し、その量は、容積が約１，０００〜約２０，０００ｍＬ、より典型的には約５，０００〜約１５，０００ｍＬのバケツやシンクなどの容器内で約２，０００〜約２０，０００ｍＬであり、より典型的には約５，０００〜約１５，０００ｍＬである。水は、あらゆる水源、例えば、あらゆる公共水、市販水、家庭用又はその他利用可能な水源からのものとしてよい。
【００１２】
本明細書で「Ｘ〜Ｙ」又は「約Ｘ〜約Ｙ」の形式で記載する時、数の範囲がすべて、本明細書に明確に記載されている場合と同様に本明細書に組み込むとともに包含させる。当然のことながら、本明細書全体にわたって提示するあらゆる制限には、場合によっては、更に低い又は更に高い限界が本明細書に明確に記載されている場合と同様に、更に低い又は高い制限が含まれる。本明細書全体にわたって提示されるあらゆる範囲には、その広い範囲内のさらに狭い範囲がすべて、そのさらに狭い範囲がすべて本明細書に明確に記載されているかのように、含まれる。
【００１３】
特に指定しない限り、重量百分率は洗剤組成物の重量百分率に関する。指示がない限り、温度はすべて摂氏（°Ｃ）で表記する。引用される文献は、すべて関連部分において本明細書に参考として組み込まれる。
【００１４】
本組成物の組成は、好ましくは硬い表面、例えば台所や浴室等の家庭内又は車の内側又は外側に典型的に存在しているあらゆる種類の表面、例えば、床、壁、タイル、窓、流し、シャワー、シャワー用ビニール（plastified）カーテン、洗面台、トイレ、皿、備品及び建具等、セラミック、ビニール、ワックスなしビニール、リノリウム、メラミン樹脂、ガラス、任意のプラスチック、ビニール処理した木材、金属又は塗装、つや消し、密封したような表面等の異なる物質を素材にしたものの洗浄に用いるのに好適である。硬質面には、冷蔵庫、冷凍庫、洗濯機、自動乾燥機、オーブン、電子レンジ、食器洗浄機などが挙げられるがこれらに限定されない家庭用器具が含まれる。
【００１５】
１つの好ましい実施形態において、本組成物は、皿、コップ、カトラリー、ガラス製品、食品保存容器、カトラリー、調理器具、シンク、及びその他台所の表面を含む食器類の洗浄に好適である。別の好ましい実施形態において、本組成物は、衣類、タオル、シーツ、カーテン、敷物、及びその他の布製物品を含む布地の洗浄に好適である。
【００１６】
本組成物は、あらゆる好適な形状、例えば、粉末、顆粒、タブレット、カプセルなどの固体、又はこれら任意の形状の組み合わせとすることができる。あるいは、例えば、ジェルなどの液体もしくは半液体、タブレット、カプセルなどの液体もしくは１回用量状、またはこれら任意の形状の組み合わせとすることができる。１つの実施形態において、本組成物は液体である。別の実施形態において、本組成物は水性液体である。
【００１７】
金属錯体染料
本組成物の組成物には、非錯体化型状の有効量の金属錯体染料が、好ましくは組成物の０．００１〜０．５重量％、例えば０．０１〜０．２重量％、更には０．０１〜０．１重量％含まれている。本明細書で使用する時、「非錯体化型」とは、金属錯体染料が金属イオンと相互作用しておらず、可視表示をもたらさないことを意味する。金属錯体染料は、アルカリ土類金属イオン、希土類金属イオン、遷移金属イオン、及びこれらの混合物と錯体が形成されるように選択するべきである。好ましくは金属錯体染料は、組成物のユーザーが利用可能な、水中によく見られるカルシウム、マグネシウム、又は鉄イオンと錯体を形成するために選択される。
【００１８】
金属錯体染料は組成物中に相溶し、組成物中の従来の染料を妨げることなく、組成物中で透明な外観を維持すべきである。本明細書で使用する時、「相溶する」とは、金属錯体染料が、組成物の美的又は機能的観点に対し悪影響を及ぼさないことを意味する。例えば、金属錯体染料は、処方を壊し（沈殿し）たり、組成物の相分離を引き起こしたりしてはならず、また組成物の他の構成成分の目的の機能という点で、他の構成成分を破壊したり干渉したりしてはならない。
【００１９】
本組成物を大量の水中に添加する場合、金属錯体染料が金属イオン、好ましくはその水量中に存在する金属イオンと錯体を形成する時、組成物は可視表示をもたらさなければならない。色の変化は、好ましくは溶液の吸収波長がλｍａｘ＝５００〜６５０ナノメートる、より好ましくは５４５〜６５０ナノメートルでであることを特徴とする。理論によって制限されることなく、青〜緑色の溶液の外観に相当するこれらの波長は、その水量中の汚れの色をマスキングすることにより、組成物が含有されているその水量の水が依然として洗浄又はすすがれる物品を洗浄又はすすぐことができるように、その水量が「清浄」であることを組成物のユーザーに示すと考えられている。そのような可視表示は、より白く、より見た目の良い石鹸泡を提示するため、石鹸泡の色を向上させるために使用されてもよい。
【００２０】
金属錯体染料は、以下に例示する式Ａ〜Ｉの１つ以上から選択することができる。
【００２１】
【化１】
2008516047.tif 000002
（式中、Ａはそれぞれの環状構造上の２つの水素、又はＯ（酸素）から選択され；Ｄは水素、メチル（−ＣＨ3）、又は−ＣＨ（ＣＨ3）2から選択さ；Ｇは−ＣＨ2Ｎ（ＣＨ2ＣＯＯＨ）2、又は−ＯＨから選択され；Ｊは水素、又はメチル（−ＣＨ3）から選択され；−Ｌ〜ＭはＯ（酸素）であり；Ｑ〜Ｒは−Ｃ＝Ｏ（酸素に二重結合の炭素）又は−ＳＯ2部分であり；Ｔは水素、又はメチル（−ＣＨ3）から選択され；Ｕは−ＣＨ2Ｎ（ＣＨ2ＣＯＯＨ）2、又は−ＯＨから選択され；Ｖは−ＯＨとして選択され；Ｗは水素、メチル（−ＣＨ3）、又はＣＨ（ＣＨ3）2から選択される。）式Ａには、ＴＰＣ及びその塩、メチルチモールブルー、クレゾールフタレイン及びその塩、カルセイン、１，２−ベンゼンジオール、及びキャプラス（caplus）の金属錯体染料がある。
【００２２】
【化２】
2008516047.tif 000003
（式中、Ａ’はそれぞれの環状構造上の２つの水素、又はＯ（酸素）から選択され；Ｄ’は−ＯＨ、メチル（−ＣＨ3）又は−ＣＨ（ＣＨ3）2から選択され；Ｅ’は＝Ｏ（二重結合）であり；Ｇ’は水素、又は−ＣＨ2Ｎ（ＣＨ2ＣＯＯＨ）2から選択され；Ｊ’は水素、又はメチル（−ＣＨ3）から選択され；Ｌ’は−ＳＯ3-から選択され；Ｍ’は水素、又はメチル（−ＣＨ3）から選択され；Ｑ’は水素、又は−ＣＨ2Ｎ（ＣＨ2ＣＯＯＨ）2から選択され；Ｒ’は−ＯＨであり；Ｔ’は−ＯＨ、メチル（−ＣＨ3）又は−ＣＨ（ＣＨ3）2から選択される。）。式Ｂには、ＭＸＢ及びその塩、ＭＴＢ及びその塩、ピロガロールスルホフタレインの金属錯体染料が含まれている。
【００２３】
【化３】
2008516047.tif 000004
（式中、Ｌ’’は水素、−ＣＯＯＨ、又はＳＯ3-から選択され；Ｇ’’およびＪ’’は
【００２４】
【化４】
2008516047.tif 000005
又は
【００２５】
【化５】
2008516047.tif 000006
から選択される。）式Ｃには、カルコン、カルコンカルボン酸、及びヒドロキシナフトールブルーの金属錯体染料が含まれている。
【００２６】
【化６】
2008516047.tif 000007
（式中、Ｄ’’’及びＥ’’’は水素から選択されか、又は一緒になって
【００２７】
【化７】
2008516047.tif 000008
又は
【００２８】
【化８】
2008516047.tif 000009
を形成するように選択され；Ｇ’’’は水素であり；Ｊ’’’は水素又は−ＳＯ3-から選択され；Ｌ’’’及びＭ’’’は水素から選択されるか、又は共に組み合わせて（Ｌ’’’およびＭ’’’）
【００２９】
【化９】
2008516047.tif 000010
又は
【００３０】
【化１０】
2008516047.tif 000011
から選択され；Ｑ’’’は水素又はＳＯ3-から選択され；Ｒ’’’は水素及び
【００３１】
【化１１】
2008516047.tif 000012
から選択される。）式Ｄには、エリオクロムブルーＳＥ、エリオクロムブラックＴ、エリオクロムブルーブラックＢ、又はキシリジルブルーの金属錯体染料が含まれている。
【００３２】
【化１２】
2008516047.tif 000013
【００３３】
構造（structure）Ｅは、ムレキシドの金属錯体染料である。
【００３４】
【化１３】
2008516047.tif 000014
（式中、Ａ4は−ＯＣＨ3から、Ｄ4は−ＮＨ2から選択される。）式Ｆは、１，４−ベンゼンジアミンの金属錯体染料である。
【００３５】
【化１４】
2008516047.tif 000015
（式中、Ａ5、Ｄ5、Ｊ5及びＧ5はメチル（−ＣＨ3）であり、Ｅ5は−ＣＨ2−部分である。）式Ｇは、ジアンチピリルメタンの金属錯体染料である。
【００３６】
【化１５】
2008516047.tif 000016
式Ｈは、クロロホスホノアゾ−ＩＩＩ（chlorophosphonoazo-III）の金属錯体染料である。
【００３７】
【化１６】
2008516047.tif 000017
式Ｉは、カルセインブルーの金属錯体染料である。
【００３８】
様々な金属錯体染料が、メルクＫｇａＡアナリティカル＆リージェンツ（Merck KgaA Analytical & Reagents）、ドージンドーモレキュラーテクノロジー（Dojindo Molecular Technologies Inc.）及びランカスターシンセシス（Lancaster Synthesis）などの供給元から入手可能である。
【００３９】
蛍光染料
蛍光共染料によって、本組成物の可視表示を更に増強することができる。例えば、カルセインはアルカリ性条件下で蛍光性ではないが、カルシウム及び／又はマグネシウムとの錯化により蛍光を発する。カルセインブルーはｐＨ４〜１１で青色蛍光を発し、ｐＨ１２では蛍光を発しない。蛍光は、Ｃｏ、Ｃｕ、Ｍｎ、Ｎｉ、Ｐｂ、及び程度は低いものの、Ｆｅ及びＡｌ（４）などの金属イオンの存在によっても消失する。
【００４０】
任意成分
本組成物の組成物には、例えば、界面活性剤、ヒドロトロープ、粘度調節剤、ジアミン、界面活性剤、高分子泡安定剤、酵素、ビルダー、香料、キレート剤、及びそれらの混合物等の任意成分が含まれていてもよい。組成物のタイプ又は形状により、特に組成物が液体食器用洗剤組成物か、硬質表面洗浄組成物か、リンス添加組成物か、洗濯用洗剤組成物かによって、任意成分の適したタイプが決まる。当業者であれば、本明細書の組成物に適した任意成分を選択できる。
【００４１】
界面活性剤
本組成物の洗剤組成物には界面活性剤が含まれていてもよい。界面活性剤は、両性界面活性剤、双極性界面活性剤、非イオン性界面活性剤、アニオン性界面活性剤、カチオン性界面活性剤、及びそれらの混合物からなる群から選択してもよい。このような好適界面活性剤は、洗剤組成物において一般的に使用されるものである。界面活性剤は、約０．１〜約４０重量％で存在してもよい。
【００４２】
両性界面活性剤
本組成物に有用であろう両性界面活性剤は、アミンオキシド界面活性剤から選択されるものである。アミンオキシドは半極性非イオン性界面活性剤であり、それらとしては、約１０〜約１８個の炭素原子の１つのアルキル部分並びに１〜３個の炭素原子を有するアルキル基及びヒドロキシアルキル基から成る群から選択される２つの部分を有する水溶性アミンオキシド；１０〜１８個の炭素原子の１つのアルキル部分並びに約１〜約３個の炭素原子を有するアルキル基及びヒドロキシアルキル基から成る群から選択される２つの部分を有する水溶性ホスフィンオキシド；約１０〜約１８個の炭素原子の１つのアルキル部分並びに１〜３個の炭素原子を有するアルキル部分及びヒドロキシアルキル部分から成る群から選択される１つの部分を有する水溶性スルホキシドが挙げられる。好ましいアミンオキシド界面活性剤としては、とりわけＣ10〜Ｃ18アルキルジメチルアミンオキシド及びＣ8〜Ｃ12アルコキシエチルジヒドロキシエチルアミンオキシドが挙げられる。
【００４３】
本組成物において有用なその他の両性洗剤界面活性剤の好適な非限定例としては、アミドプロピルベタイン及び脂肪族又は複素環式二級及び三級（ternary）アミンの誘導体が挙げられ、脂肪族部分は直鎖又は分岐鎖にすることができ、脂肪族置換基の一つには、８〜２４個の炭素が含まれ、少なくとも一つの脂肪族置換基にはアニオン性水溶性基が含まれている。
【００４４】
両性界面活性剤は、存在する場合、組成物の例えば約０．１重量％〜約４０重量％、更には例えば約０．１重量％〜約２０重量％、更には例えば約０．５重量％〜約１５重量％の有効量で、組成物中に存在する。
【００４５】
非イオン性界面活性剤
含有させてもよい非イオン性界面活性剤は、脂肪族アルコールと約１〜約２５ｍｏｌのエチレンオキシドとの縮合生成物である。脂肪族アルコールのアルキル鎖は、直鎖又は分岐鎖、一級又は二級のいずれかであることができ、一般に約８〜約２２個の炭素原子を有する。特に好ましいものは、約１０〜約２０個の炭素原子を有するアルキル基を有するアルコールと、アルコール１ｍｏｌ当り約２〜約１８ｍｏｌのエチレンオキシドとの縮合生成物である。
【００４６】
更に含有されるアルキルポリグリコシドは、式ＩＩ、Ｒ2Ｏ（ＣnＨ2nＯ）t（グリコシル）x  （ＩＩ）を有するものである。式中、Ｒ2は、アルキル、アルキルフェニル、ヒドロキシアルキル、ヒドロキシアルキルフェニル、及びこれらの混合物からなる群から選択され（前記アルキル基は約１０〜約１８個、更に約１２〜約１４個の炭素原子を有している）、式（ＩＩ）のｎは２又は３、更に２であり、式（ＩＩ）のｔは０〜約１０、更に０であり、式（ＩＩ）のｘは約１．３〜約１０、更に約１．３〜約３、更には約１．３〜約２．７である。グリコシルは、好ましくはグルコースに由来する。それらの化合物を調製するには、初めにアルコール又はアルキルポリエトキシ（alkylpolyethoy）アルコールを形成し、次いでグルコース又はグルコース源と反応させて、グルコシドを形成する（１位で結合）。これで、追加のグリコシル単位が、それらの１位と先行のグリコシル単位の２、３、４及び／又は６位、好ましくは主に２位との間で結合できる。
【００４７】
含有させてもよい更なる非イオン性界面活性剤は、式（ＩＩＩ）を有する脂肪酸アミド界面活性剤である。
【００４８】
【化１７】
2008516047.tif 000018
式中、式（ＩＩＩ）のＲ6は、約７〜約２１個（好ましくは約９〜約１７個）の炭素原子を有するアルキル基であり、式（ＩＩＩ）のＲ7は、水素、Ｃ1〜Ｃ4のアルキル、Ｃ1〜Ｃ4のヒドロキシアルキル、及び−（Ｃ2Ｈ4）xＨからなる群から選択され、式（ＩＩＩ）のｘは、１〜３まで幅がある。好ましいアミドは、Ｃ8〜Ｃ20のアンモニアアミド、モノエタノールアミド、ジエタノールアミド、及びイソプロパノールアミドである。
【００４９】
非イオン性界面活性剤は、組成物中に存在する場合、組成物の例えば約０．１〜約４０重量％、更に約０．１〜約２０重量％、更には約０．５〜約１５重量％の有効量で存在する。
【００５０】
アニオン性界面活性剤
アニオン性界面活性剤は、本出願の組成物の構成成分として利用する場合、Ｃ10〜Ｃ20のヒドロカルビル構成成分を有するアルキル、ヒドロキシアルキル、又はアルキルアリール、より好ましくは、Ｃ10〜Ｃ14のアルキル又はヒドロキシアルキル、硫酸塩又はスルホン酸塩などのＣ6〜Ｃ20の直鎖又は分枝鎖ヒドロカルビルの水溶性塩又は酸から選択される好適なアニオン性界面活性剤としてもよい。好適な対イオンとしては、水素、アルカリ金属カチオン又はアンモニウム又は置換アンモニウム、更にナトリウムが挙げられる。分枝鎖の場合、ヒドロカルビル分枝鎖は、１つ以上のＣ1〜Ｃ4のアルキル分枝鎖から選択してもよい。非イオン性界面活性剤は、組成物中に存在する場合、組成物の例えば約０．１重〜約４０重量％、更に約０．１重〜約２０重量％、更には約０．５重量％〜約１５重量％の有効量で存在する。
【００５１】
アニオン性界面活性剤は、存在する場合、組成物の少なくとも１５重量％、例えば２０〜４０重量％、更に２５〜４０重量％の濃度である。
【００５２】
カチオン性界面活性剤／布地柔軟化添加剤
カチオン性界面活性剤は、本出願の組成物の構成成分として利用する場合、炭素原子を最大２６個有し得る非四級アンモニウム界面活性剤から選択することができ、米国特許第６，１３６，７６９号に記載されているアルコキシラート四級アンモニウム（ＡＱＡ）界面活性剤、同６，００４，９２２号に記載されているジメチルヒドロキシエチル四級アンモニウム、ＰＣＴ国際公開特許ＷＯ９８／３５００２号、ＰＣＴ国際公開特許ＷＯ９８／３５００３号、ＰＣＴ国際公開特許ＷＯ９８／３５００４号、ＰＣＴ国際公開特許ＷＯ９８／３５００５号、及びＰＣＴ国際公開特許ＷＯ９８／３５００６号に記載されているポリアミンカチオン性界面活性剤、米国特許第４，２２８，０４２号、同４，２３９，６６０号、同４，２６０，５２９号及び同６，０２２，８４４号に記載されているカチオン性エステル界面活性剤、米国特許第６，２２１，８２５号及びＰＣＴ国際公開特許ＷＯ００／４７７０８号に記載されているアミノ界面活性剤、特にアミドプロピルジメチルアミンが挙げられるが、これらに限定されない。
【００５３】
好適なカチオン性界面活性剤は、ジタローオイルオキシエチルジメチルアンモニウムクロライド、ジ水素添加−タローオイルオキシエチルジメチルアンモニウムクロライド、ジカノーラ−オイルオキシエチルジメチルアンモニウムクロライド、ジタロージメチルアンモニウムクロライド、トリタローメチルアンモニウムクロライド、メチルビス（タローアミドエチル）２−ヒドロキシエチルアンモニウムメチルスルフェート、メチルビス（水素添加タローアミドエチル）−２−ヒドロキシエチルアンモニウム（ammonim）メチルスルフェート、メチルビス（オレイルアミドエチル）−２−ヒドロキシエチルアンモニウムメチルサルフェート、ジタローオイルオキシエチルジメチルアンモニウムメチルスルフェート、ジ水素添加−タローオイルオキシエチルジメチルアンモニウムクロライド、ジカノーラ−オイルオキシエチルジメチルアンモニウムクロライド、Ｎ−タローオイルオキシエチル−Ｎ−タローオイルアミノプロピルメチルアミン、１，２−ビス（硬化タローオイルオキシ）−３−トリメチルアンモニウムプロパンクロライド、及びこれらの混合物を含む、ただしこれらに限定されない既知の布地柔軟化添加剤から選択することもできる。
【００５４】
ポリ四級アンモニウム化合物もまた、本組成物のカチオン性界面活性剤として有用な可能性があり、欧州特許第８０３，４９８号、英国特許第８０８，２６５号、英国特許第１，１６１，５５２号、独国特許第４，２０３，４８９号、欧州特許第２２１，８５５号、欧州特許第５０３，１５５号、欧州特許第５０７，００３号、欧州特許第８０３，４９８号、仏国特許第２，５２３，６０６号、日本国特許第８４−２７３９１８号、日本国特許第２−０１１，５４５号、米国特許第３，０７９，４３６号、米国特許第４，４１８，０５４号、米国特許第４，７２１，５１２号、米国特許第４，７２８，３３７号、米国特許第４，９０６，４１３号、米国特許第５，１９４，６６７号、米国特許第５，２３５，０８２号、米国特許第５，６７０，４７２号、ウェイロン・ミャオ、ウェイ・フー、リー・チェン、及びゾンシー・リ著『多官能性仕上げ剤類の研究』リヨン・ワクスー・ゴニエ、Ｎｏ．２、８〜１０頁、１９９２年（Weirong Miao,Wei Hou,Lie Chen,and Zongshi Li,Studies on Multifunctional Finishing Agents,Riyong Huaxue Gonye,No.2,pp.8-10,1992）、『応用化学』、４１巻、第４号（１９９２年）（Yokagaku,Vol.41,No.4（1992））、及び『消毒、滅菌、及び保存』、第４版、リー＆フェビガーにより１９９１年出版、１３章、２２６〜３０頁（Disinfection,Sterilization,and Preservation,4thEdition,published 1991 by Lea & Febiger,Chapter 13,pp.226-30）に更に詳細に記載されている。脂肪酸とＮ，Ｎ，Ｎ’，Ｎ’テトラアキス（ヒドロキシエチル）−１，６−ジアミノヘキサンとの反応生成物の四級化によって形成される生成物も、本発明に使用するのに適している。
【００５５】
セレスター（Cerestar）から商標名Ｃ＊ＢＯＮＤ（C*BOND）（登録商標）で、ナショナルスターチ（National Starch）から商標名ＣＡＴＯ（CATO）（登録商標）Ａ２で市販されているような、アミロースが２５〜９５％含有され、置換度が０．０２〜０．０９である、一般的なトウモロコシデンプン又はバレイショデンプンが基となるカチオンデンプンも、カチオン性界面活性剤／布地柔軟化添加剤として利用することができる。また、米国特許第４，８７６，３３６号（表ＩＩ、サンプルＡ及びＦ）及び同時係属出願第１０／８７６１７６号（２００４年６月２７日出願）に記載されているようなカチオン性リン酸化デンプンも利用することができる。
【００５６】
本組成物に有用なエステル及び／又はアミド結合カチオン性界面活性剤の例は、米国特許第５，７５９，９９０号及び米国特許第５，７４７，４４３号に開示されている。本組成物のカチオン性界面活性剤として使用できる好適なアミン柔軟剤の例は、米国特許第６，６３０，４４１号に開示されている。本明細書で使用できる他の布地柔軟化活性物質は、少なくとも基本構造に関して包括的に、米国特許第３，８６１，８７０号、米国特許第４，３０８，１５１号、米国特許第３，８８６，０７５号、米国特許第４，２３３，１６４号、米国特許第４，４０１，５７８号、米国特許第３，９７４，０７６号、及び米国特許第４，２３７，０１６号に開示されている。更に生分解性の高いカチオン性界面活性剤の例は、米国特許第３，４０８，３６１号、米国特許第４，７０９，０４５号、米国特許第４，２３３，４５１号、米国特許第４，１２７，４８９号、米国特許第３，６８９，４２４号、米国特許第４，１２８，４８５号、米国特許第４，１６１，６０４号、米国特許第４，１８９，５９３号、及び米国特許第４，３３９，３９１号に見い出すことができる。
【００５７】
カチオン性界面活性剤は、組成物中に存在する場合、組成物の例えば約０．１重量〜約４０重量％、更に約１重量〜約２７重量％、更には約５重量〜約２０重量％の有効量で存在する。
【００５８】
水性液体キャリア
本明細書の組成物には、液状の場合、更に約３０％〜８０％の水性液体キャリアが更に含まれてもよく、前記キャリアにはその他の本質的及び任意の組成物構成成分を溶解、分散、又は懸濁する。より好ましくは、前記水性液体キャリアは、本明細書の組成物の約４５％〜約７０％、例えば約４５％〜約６５％で含まれる。
【００５９】
水性液体キャリアの１つの好ましい構成成分は水である。しかしながら、前記水性液体キャリアは、室温（２０°Ｃ〜２５°Ｃ）で液状であるか又は前記液体キャリアに溶解する他の構成成分であって、不活性な充填剤の機能に加えてある種の他機能をも果たすことができる他の物質を含有させてもよい。前記物質としては、例えばヒドロトロープ及び溶媒が挙げられ、以下により詳細に記載する。本明細書の組成物が使用される地理学的状況に依存して、水性液体キャリア中の水は、約２〜３０ｇｐｇ（約３４〜５１４ｍｇ／Ｌ、「ｇｐｇ」は、当業者に周知の水の硬度の単位であり、それは「１ガロン当たりのグレイン」を表す）の硬度を有することができる。
【００６０】
液状の場合の組成物のｐＨ
本明細書の組成物のｐＨは好適であればいずれのレベルにしてもよい。好ましくは、組成物のｐＨは４〜１４の間に調整する。更に好ましくは、組成物のｐＨは６〜１３、より好ましくは６〜１０である。組成物のｐＨは、当該技術分野において既知のｐＨ調整成分を用いて調節できる。
【００６１】
組成物の濃度
本明細書の組成物は、液状で具現した場合、増粘性があり、２０°Ｃで測定した場合、０．７Ｐａ・ｓ（７００ｃｐｓ）超、例えば０．７Ｐａ・ｓ〜１．１Ｐａ・ｓ（７００〜１１００ｃｐｓ）の粘度を有していてもよい。本組成物では、マイクロエマルション形態の組成物を除外する。
【００６２】
溶媒
本明細書の組成物は、任意に溶媒を含んでもよい。好適な溶媒としては、Ｃ4〜14のエーテル及びジエーテル、グリコール又はアルコキシル化グリコール、Ｃ6〜Ｃ16のグリコールエーテル、アルコキシル化芳香族アルコール、芳香族アルコール、脂肪族分枝鎖アルコール、アルコキシル化脂肪族分枝鎖アルコール、アルコキシル化直鎖Ｃ1〜Ｃ5アルコール、直鎖Ｃ1〜Ｃ5アルコール、アミン、Ｃ8〜Ｃ14アルキル及びシクロアルキル炭化水素及びハロ炭化水素、及びこれらの混合物が挙げられる。分枝鎖が存在する場合、１つ以上のＣ1〜Ｃ4の分枝鎖があってもよい。
【００６３】
好ましい溶媒は、メトキシオクタデカノール、エトキシエトキシエタノール、ベンジルアルコール、２−エチルブタノール及び／又は２−メチルブタノール、１−メチルプロポキシエタノール及び／又は２−メチルブトキシエタノール、メタノール、エタノール、プロパノール、イソプロパノール、ブチルジグリコールエーテル（ＢＤＧＥ）、ブチルトリグリコールエーテル、第三級アミルアルコール、グリセロールのような直鎖Ｃ1〜Ｃ5アルコール、及びこれらの混合物から選択する。本明細書で使用できる特に好ましい溶媒は、ブトキシプロポキシプロパノール、ブチルジグリコールエーテル、ベンジルアルコール、ブトキシプロパノール、プロピレングリコール、グリセロール、エタノール、メタノール、イソプロパノール、及びそれらの混合物である。
【００６４】
本明細書で用いるのに好適な他の溶媒としては、プロピレングリコール誘導体、例えばｎ−ブトキシプロパノール又はｎ−ブトキシプロポキシプロパノ−ル、水溶性カルビトールＲ（CARBITOL R）（登録商標）溶媒、又は水溶性セロソルブＲ（CELLOSOLVE R）（登録商標）溶媒が挙げられる。水溶性カルビトールＲ（CARBITOL R）（登録商標）溶媒は、２−（２−アルコキシエトキシ）エタノールの部類の化合物であり、アルコキシ基はエチル、プロピル、ブチルに由来し、好ましい水溶性カルビトール（CARBITOL）（登録商標）は、２−（２−ブトキシエトキシ）エタノールであり、ブチルカルビトール（BUTYL CARBITOL）（登録商標）としても知られている。水溶性のセロソルブＲ（CELLOSOLVE R）（登録商標）溶媒は２−アルコキシエトキシエタノールの部類の化合物であり、２−ブトキシエトキシエタノールが好ましい。他の好適な溶媒としては、ベンジルアルコール、並びに２−エチル−１，３−ヘキサンジオール、２，２，４−トリメチル−１，３−ペンタンジオールなどのジオール、及びこれらの混合物が挙げられる。本明細書に用いるのにいくつかの好ましい溶媒は、ｎ−ブトキシプロポキシプロパノール、２−（２−ブトキシエトキシ）エタノール及びこれらの混合物である。
【００６５】
溶媒は、モノ−、ジ−、及びトリ−エチレングリコールのエーテル誘導体、ブチレングリコールエーテル、並びにこれらの混合物を含む化合物群から選択することもできる。これらの溶媒の重量平均分子量は、好ましくは３５０未満、例えば１００〜３００、更に例えば１１５〜２５０である。好ましい溶媒の例としては、例えば、モノエチレングリコールｎ−ヘキシルエーテル、モノプロピレングリコールｎ−ブチルエーテル、及びトリプロピレングリコールメチルエーテルが挙げられる。エチレングリコール及びプロピレングリコールエーテルは市販されており、ダウケミカルカンパニー（Dow Chemical Company）から商標名ＤＯＷＡＮＯＬ（登録商標）が、アルコケミカルカンパニー（Arco Chemical Company）から商標名ＡＲＣＯＳＯＬＶ（登録商標）が入手可能である。モノ−及びジ−エチレングリコールｎ−ヘキシルエーテルを含む他の好ましい溶媒は、ユニオンカーバイド社から入手可能である。
【００６６】
本明細書の組成物には、存在する場合、前記組成物の０．０１〜２０重量％、例えば０．５重量％〜２０重量％、更に１重量％〜１０重量％の溶媒が含有される。前記溶媒は、例えば、水などの水性の液体担体と組み合わせて使用してもよいし、含有させる水性の液体担体と組み合わせず使用してもよい。
【００６７】
ヒドロトロープ
本明細書の組成物には、前記組成物が水に適切に相溶するように、任意に応じて有効量のヒドロトロープを含んでもよい。「水に適切に相溶する」とは、前記製品が、洗浄習慣と使用条件の双方に応じて迅速かつ十分に水に溶解することを意味する。水に素早く溶解しない組成物は、全般的な洗浄、起泡、食器類／グラス類などの表面からの組成物のすすぎやすさ、又は洗浄後の表面上への残留性に関して、良好な性能を達成することができない。ヒドロトロープを含めることは、文献や先行技術において既知なように、組成物の安定性及び配合性の改善にも有用である。
【００６８】
本明細書で使用するのに好適なヒドロトロープとしては、アニオン型のヒドロトロープ、特にキシレンスルホン酸ナトリウム塩、キシレンスルホン酸カリウム塩、及びキシレンスルホン酸アンモニウム塩、トルエンスルホン酸ナトリウム塩、トルエンスルホン酸カリウム塩及びトルエンスルホン酸アンモニウム塩、クメンスルホン酸ナトリウム塩、クメンスルホン酸カリウム塩（sodium potassium）及びクメンスルホン酸アンモニウム塩、及びこれらの混合物、並びに関連する化合物類（米国特許第３，９１５，９０３号に開示されているようなもの）が挙げられる。
【００６９】
明細書の組成物には、典型的に、前記組成物の０重量％〜１５重量％、好ましくは１重量％〜１０重量％、最も好ましくは３重量％〜６重量％のヒドロトロープ、又はその混合物が含まれている。
【００７０】
疎水性ブロックポリマー
本明細書の組成物には、任意に、アルキレンオキシド部分及び５００以上、好ましくは１０，０００未満、例えば１，０００〜５，０００、更に１，５００〜３，５００の重量平均分子量を有する疎水性ブロックポリマーが含まれていてもよい。好適な疎水性ポリマーは、２５°Ｃにおいて、そのポリマーの約１重量％未満、例えば約０．５重量％未満、更に約０．１重量％未満の水溶解度を有している。
【００７１】
本明細書で使用する時、「ブロックポリマー」とは、架橋して１個のポリマー構造を形成する２つ以上の異なるホモポリマー及び／又はモノマー単位を含むポリマーを包含していることを意味する。好ましいコポリマーは、モノマー単位の１つとしてエチレンオキシドを含む。より好ましいコポリマーは、エチレンオキシド及びプロピレンオキシドとのコポリマーである。このような好ましいポリマーのエチレンオキシド含有量は、約５重量％超、より好ましくは約８重量％超、かつ約５０重量％未満、より好ましくは約４０重量％未満である。好ましいポリマーは、エチレンオキシド／プロピレンオキシドコポリマーであり、ＢＡＳＦ社より、商標名プルロニックＬ８１（PLURONIC L81）（登録商標）又はプルロニックＬ３５（PLURONIC L35）（登録商標）が入手可能である。
【００７２】
本明細書の組成物には、任意に、１つ以上の疎水性ブロックポリマーを前記組成物の０重量％〜１５重量％、好ましくは１重量％〜１０重量％、最も好ましくは前記組成物の１重量％〜６重量％含まれている。
【００７３】
増粘剤
本明細書における組成物には、増粘剤を前記洗剤組成物の約０．２重量％〜５重量％含有させることができる。より好ましくは、前記増粘剤の量は、本明細書の洗剤組成物の約０．５重量％〜２．５重量％である。増粘剤は、典型的に、セルロース誘導体の部類から選択される。好適な増粘剤としては、ヒドロキシエチルセルロース、ヒドロキシメチルセルロース、カルボキシメチルセルロース、カチオン性疎水変性ヒドロキシエチルセルロース（アマコールコーポレーション（Amerchol Corporation）のＱＵＡＴＲＩＳＯＦＴ（登録商標）ＬＭ２００）などが挙げられる。好ましい増粘剤は、ヒドロキシプロピルメチルセルロースである。
【００７４】
高分子泡安定剤
本明細書の組成物は、任意に高分子泡安定剤を含有してもよい。これらの高分子泡安定剤は、組成物の起泡量や起泡持続時間を増大させる。これらの高分子泡安定剤は、（Ｎ，Ｎ−ジアルキルアミノ）アルキルエステルのホモポリマー及び（Ｎ，Ｎ−ジアルキルアミノ）アルキルアクリレートエステルのホモポリマーから選択してよい。前記高分子泡促進剤の重量平均分子量は、常套のゲル浸透クロマトグラフィーで求められ、１，０００〜２，０００，０００、例えば５，０００〜１，０００，０００、更に１０，０００〜７５０，０００、更には２０，０００〜５００，０００、更には３５，０００〜２００，０００である。高分子泡安定剤は、所望により、無機塩又は有機塩のどちらかの塩の形態で含有させることができ、例えば、（Ｎ，Ｎ−ジメチルアミノ）アルキルアクリレートエステルのクエン酸塩、スルフェート、又は硝酸塩の形態で含有させることができる。
【００７５】
好ましい高分子泡安定剤の一つは、（Ｎ，Ｎ−ジメチルアミノ）アルキルアクリレートエステル、すなわち以下の式（ＩＶ）で表されるアクリレートエステルである。
【００７６】
【化１８】
2008516047.tif 000019
【００７７】
高分子泡増強剤は、組成物中に存在する場合、組成物の０．０１重量％〜１５重量％、例えば０．０５重量％〜１０重量％、更には０．１重量％〜５重量％で組成物中に存在し得る。
【００７８】
ジアミン
本明細書の組成物の別の任意成分はジアミンである。液体食器用洗剤組成物などの組成物のユーザーの習慣及び実態はばらつきが激しいので、組成物には、少なくとも１種のジアミンを前記組成物の０重量％〜１５重量％、例えば０．１重量％〜１５重量％、更に０．２重量％〜１０重量％、更に例えば０．２５重量％〜６重量％、また０．５重量％〜１．５重量％で含有させることができる。
【００７９】
好ましい有機ジアミンとしては、１，３−ビス（メチルアミン）−シクロヘキサン（ｐＫａ＝１０〜１０．５）、１，３−プロパンジアミン（ｐＫ１＝１０．５、ｐＫ２＝８．８）、１，６−ヘキサンジアミン（ｐＫ１＝１１、ｐＫ２＝１０）、１，３−ペンタンジアミン（Ｄｙｔｅｋ  ＥＰ（登録商標））（ｐＫ１＝１０．５、ｐＫ２＝８．９）、２−メチル−１，５−ペンタンジアミン（Ｄｙｔｅｋ  Ａ（登録商標））（ｐＫ１＝１１．２、ｐＫ２＝１０．０）が挙げられる。その他の好ましい物質としては、Ｃ4〜Ｃ8のアルキレンスペーサーを持つ一級／一級ジアミンが挙げられる。一般に、一級ジアミンは、二級及び三級ジアミンより好ましいと考えられている。本明細書で実用的な定義として、ジアミンのｐＫａは、２５°Ｃで全水溶液において、イオン強度０．１〜０．５Ｍについて規定される。
【００８０】
好ましくは、本明細書の組成物は、液状の場合、透明な液体組成物として調製する。「透明な」とは、安定的かつ透明であることを意味する。透明な組成物を得るために溶媒及びヒドロトロープを使用することは、洗剤組成物の技術分野に精通している人には周知である。本明細書の好ましい組成物は透明な単層液体であるが、米国特許第５，８６６，５２９号（エリリ（Erilli）ら）、及び米国特許第６，３８０，１５０号（トゥーサン（Toussaint）ら）に記載の、ビーズ又は真珠様のもののように分散した層を含有する透明及び不透明な製品も、その製品が貯蔵中に物理的に安定的である（すなわち、分離しない）のであれば、含まれる。
【００８１】
本明細書の組成物は、前記組成物を供給するのに好適ないずれかのパッケージで包装してもよい。好ましくは、前記パッケージは、ガラス又はプラスチックから形成させた透明なパッケージである。
【００８２】
ビルダー
本出願の組成物には更にビルダー系を含んでもよい。ビルダーを使用するのが望ましい場合には、アルミノシリケート物質、シリケート、ポリカルボキシレート及び脂肪酸、エチレン−ジアミン四酢酸等の物質、アミノポリホスホネート、とりわけエチレンジアミンテトラメチレンホスホン酸及びジエチレントリアミンペンタメチレン−ホスホン酸等の金属イオン封鎖剤を包含する従来のいずれかのビルダー系が本明細書で用いるのに好適である。明らかな環境的理由から好ましくはないが、ホスフェートビルダーも本明細書において使用できる。
【００８３】
本明細書に用いるのに好適なポリカルボキシレートビルダーとしては、好ましくは水溶性塩の形態のクエン酸、式（Ｖ）のコハク酸誘導体、Ｒ−ＣＨ（ＣＯＯＨ）ＣＨ2（ＣＯＯＨ）  （式Ｖ）が挙げられ、式（Ｖ）中、ＲはＣ10〜20のアルキル又はアルケニル、例えばＣ12〜16であり、又は式（Ｖ）中、Ｒはヒドロキシル、スルホスルホキシル、又はスルホン置換基で置換され得る。具体例としては、ラウリルサクシネート、ミリスチルサクシネート、パルミチルサクシネート、２−ドデセニルサクシネート、２−テトラデセニルサクシネート等が挙げられる。サクシネートビルダーは、好ましくはナトリウム、カリウム、アンモニウム、及びアルカノールアンモニウム塩を含むこれらの水溶性塩の形態で使用する。
【００８４】
その他の好適なポリカルボキシレートは、オキソジサクシネート、及び米国特許第４，６６３，０７１号に記載されているようなタルトラートモノコハク酸とタルトラートジコハク酸の混合物である。
【００８５】
とりわけ本明細書の液体形態に関して、本明細書での使用に好適な脂肪酸ビルダーは、飽和又は不飽和Ｃ10〜18の脂肪酸並びに対応する石鹸である。好ましい飽和種はアルキル鎖に１２〜１６個の炭素を有する。好ましい不飽和脂肪酸はオレイン酸である。液体組成物のための、その他の好ましいビルダー系は、ドデセニルコハク酸及びクエン酸を基剤にしている。
【００８６】
ビルダーが含有されている場合、それは組成物の０．５重量％〜５０重量％、好ましくは０．５重量％〜２５重量％、最も一般的には０．５重量％〜５重量％の量で包含されてもよい。
【００８７】
酵素
本出願の組成物には、洗浄性能上の利点を提供する１つ以上の酵素を更に含んでもよい。前記酵素としては、セルラーゼ、ヘミセルラーゼ、ペルオキシダーゼ、プロテアーゼ、グルコ−アミラーゼ、アミラーゼ、リパーゼ、クチナーゼ、ペクチナーゼ、キシラナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ又はこれらの混合物から選択される酵素が挙げられる。好ましい組み合わせは、プロテアーゼ、アミラーゼ、リパーゼ、クチナーゼ、及び／又はセルラーゼのような従来の適用可能な酵素の混液を有する組成物である。酵素が本組成物に存在する場合、組成物の０．０００１重量％〜５重量％の活性酵素として存在する。次に、好ましいタンパク質分解酵素は、アルカラーゼ（Alcalase）（登録商標）（ノボインダストリ（Novo Industri）Ａ／Ｓ）、ＢＰＮ’、プロテアーゼＡ及びプロテアーゼＢ（ジェネンコア（Genencor））、並びにこれらの混合物から成る群から選択する。プロテアーゼＢ（Protease B）が、最も好ましい。好ましいアミラーゼ酵素としては、ターマミル（TERMAMYL）（登録商標）、デュラミル（DURAMYL）（登録商標）、並びにＰＣＴ国際公開特許ＷＯ９４／１８３１４（ジェネンコア・インターナショナル（Genencor International））及びＰＣＴ国際公開特許ＷＯ９４／０２５９７（ノボ（Novo））に記載されているアミラーゼ酵素が挙げられる。
【００８８】
キレート剤
本明細書の組成物には、任意に１以上の鉄及び／又はマンガンキレート化剤を含有させてもよい。このようなキレート剤は、アミノカルボキシレート、アミノホスホネート、多官能置換された芳香族キレート剤及びそれらの混合物からなる群から選択することができ、これらのすべては以下で定義する。理論に束縛されるものではないが、このような物質の効果は、ある程度、可溶性キレートの形成により洗浄溶液から鉄及びマンガンイオンを取り除くそれらの並外れた能力によると考えられている。しかしながら、これらのキレート化剤は、鉄及び／又はマンガンイオンとのキレート化で変色を起こさないという点で、上述した金属錯体染料と区別される。
【００８９】
任意選択のキレート剤として有用なアミノカルボキシレートとしては、エチレンジアミンテトラアセテート、Ｎ−ヒドロキシエチルエチレンジアミントリアセテート、ニトリロ−トリ−アセテート、エチレンジアミンテトラプロプリオネート、トリエチレンテトラアミンヘキサアセテート、ジエチレントリアミンペンタアセテート、及びエタノールジグリシン、これらのアルカリ金属塩、アンモニウム塩、及び置換アンモニウム塩、及びそれらの混合物が挙げられる。
【００９０】
洗剤組成物において少なくとも低濃度の総リンが許容される場合、アミノホスホネートも本発明の組成物におけるキレート剤として用いるのに好適であり、デクエスト（DEQUEST）（登録商標）のようなエチレンジアミンテトラキス（メチレンホスホネート）が挙げられる。これらアミノホスホネートは、６個より多い炭素を持つアルキル基又はアルケニル基を含有しないのが好ましい。多官能置換された芳香族キレート剤も、本明細書の組成物中で有用である。米国特許第３，８１２，０４４号（コナー（Connor）ら、１９７４年５月２１日発行）を参照のこと。酸の形態の、この種の好ましい化合物は、１，２−ジヒドロキシ−３，５−ジスルホベンゼンのようなジヒドロキシジスルホベンゼンである。本明細書で使用するのに好ましい生分解性キレート剤は、エチレンジアミンジサクシネート（「ＥＤＤＳ」）であり、特に、米国特許第４，７０４，２３３号（ハートマン（Hartman）及びパーキンス（Perkins）、１９８７年１１月３日発行）に記載されている［Ｓ，Ｓ］異性体である。本発明における組成物は、キレート剤又は補助ビルダーとして、水溶性メチルグリシン二酢酸（ＭＧＤＡ）塩（又は酸の形態）を含有していてもよい。同様に、シトレート等のいわゆる「弱い」ビルダーをキレート剤として用いることもできる。
【００９１】
キレート剤を利用する場合、これらのキレート剤は、一般に、本明細書における洗剤組成物の０．０００１５〜１５重量％で含まれる。更に好ましくは、キレート剤を利用する場合、キレート剤は、前記組成物の０．０００３〜３．０重量％含まれる。
【００９２】
他の成分
組成物には、更に好ましくは、汚れ放出ポリマー、高分子分散剤、多糖、研磨材、殺菌剤及びその他の抗菌剤、曇り防止剤、上述した以外の染料、緩衝剤などの蛍光染料、抗カビ剤又は白カビ制御剤、防虫剤、香料、増粘剤、加工助剤、泡促進剤、光沢剤、錆止め助剤、安定剤、酸化防止剤から選択される１つ以上の洗浄性添加物が含まれている。本明細書の組成物に含有させることができる、洗剤組成物に有用な多種多様なその他の成分には、他の活性成分、担体、酸化防止剤、加工助剤、染料又は顔料、液体処方のための溶媒、棒状組成物のための固体充填剤等が挙げられる。良い泡立ちが所望であれば、Ｃ10〜Ｃ16のアルカノールアミド等の起泡増強剤を、典型的には１〜１０％の濃度にて組成物に組み入れることができる。Ｃ10〜Ｃ14のモノエタノール及びジエタノールアミドは、このような起泡増強剤の典型的な部類を示す。上述のアミンオキシド、ベタイン、及びスルタインのような高性能起泡補助界面活性剤を含むこのような起泡増強剤を使用することも有用である。
【００９３】
所望により、酸化防止剤を本出願の組成物に加えることができる。それらは、２，６−ジ−ｔｅｒｔ−ブチル−４−メチルフェノール（ＢＨＴ）、カルバメート、アスコルビン酸塩、チオサルフェート、モノエタノールアミン（ＭＥＡ）、ジエタノールアミン、トリエタノールアミン等のような洗剤組成物において使用される任意の周知の酸化防止剤にすることができる。酸化防止剤が存在する場合、酸化防止剤は０．００１〜５重量％で組成物に存在することが好ましい。
【００９４】
成分を多孔質疎水性基材に吸収させ、次に疎水性コーティングで基材をコーティングすることにより、本組成物で用いられる種々の洗浄性成分を所望により更に安定化することができる。好ましくは、洗浄性成分は、多孔性基材に吸収させる前に界面活性剤と混合する。使用中、洗浄性成分は、基材から水性洗浄溶液に放出され、そこでそれが意図した洗浄機能を発揮する。
【００９５】
この手法を更に詳細に説明するために、多孔質疎水性シリカ（シペルナット（SIPERNAT）Ｄ１０（登録商標）、デグッサ（DeGussa））を、３〜５％のＣ13〜15エトキシル化アルコール（ＥＯ７）非イオン性界面活性剤が含有されているタンパク質分解酵素溶液と混合する。典型的に、酵素／界面活性剤溶液は、シリカの重量の２．５倍である。結果として得られた粉末を、撹拌しながらシリコーン油（５００〜１２，５００の範囲の種々のシリコーン油粘度を用いることができる）中に分散させる。結果として得られるシリコーン油分散物を乳化するか、あるいは最終洗剤マトリックスに加える。この手段によって、前述の酵素、漂白剤、漂白剤活性化剤、漂白触媒、光活性化剤、染料、蛍光剤、布地コンディショナー、及び加水分解性界面活性剤などの成分を、液体洗濯用洗剤組成物が含まれている洗剤に使用するため「保護する」ことができる。
【００９６】
食器類の洗浄方法
本組成物は、更に食器類洗浄プロセスに関する。食器類を、上述のように組成物と接触させる。組成物をそのままの状態又は希釈形態で適用してよい。従って、組成物を食器類に適用することにより食器類を洗浄してもよく、所望によるが、好ましくは引き続いて乾燥前にすすぎ洗いをしてもよい。あるいは、組成物を好適な容器（例えば、タライ、流し、又はボウル）中で水と混合することもでき、それによって多くの皿を同一の組成物及び水（食器を洗うための水）を用いて洗浄することができる。更に別の方法において、製品は、典型的には非常に汚れた食器類用の浸漬媒体として、適切な容器中において希釈形態で使用できる。前述したように、食器類を所望によりしかし好ましくは乾燥前にすすぎ洗いすることができる。乾燥は、水を自然蒸発させることによって受動的に行ってもよく、好適な任意の乾燥器具、例えば、布又はタオルを用いて能動的に行ってもよい。
【００９７】
粘度試験方法
本明細書の洗剤組成物の粘度はブルックフィールド（Brookfield）粘度計モデル番号ＬＶＤＶＩＩ＋により２０°Ｃで測定する。これらの測定に使用するスピンドルは、異なる粘度の生成物を測定するために適切な速度を持つＳ３１である。例えば、１Ｐａ・ｓ（１，０００ｃｐｓ）より大きい粘度の生成物を測定するためには、１．３ｒａｄ／秒（１２ｒｐｍ）、０．５Ｐａ・ｓ〜１Ｐａ・ｓ（５００ｃｐｓ〜１，０００ｃｐｓ）の粘度を有する生成物を測定するためには、３０ｒｐｍ、０．５Ｐａ・ｓ（５００ｃｐｓ）未満の粘度を有する生成物を測定するためには、６．３ｒａｄ／秒（６０ｒｐｍ）である。
【００９８】
以下の実施例は、本発明の組成物を表しているが、いかなる制限も意味しない。
【００９９】
【表１】
2008516047.tif 000020
１：クメンスルホン酸ナトリウム
２：Ｃ12〜Ｃ14のアミンオキシド
３：非イオン性は、９個のエトキシ基を有するＣ11アルキルエトキシ化界面活性剤又は８個のエトキシ基を有するＣ10アルキルエトキシ化界面活性剤のいずれでもよい。
４：平均０．６個のエトキシ基を有するＣ12〜13アルキルエトキシスルホネート
５：１，３，ＢＡＣは、１，３−ビス（メチルアミン）−シクロヘキサンである。
６：（Ｎ，Ｎ−ジメチルアミノ）エチルメタクリレートホモポリマー
７：プロテアーゼなどプロテアーゼは、サビナーゼ（Savinase）（登録商標）：マクサターゼ（Maxatase）（登録商標）：マクサカル（Maxacal）（登録商標）：マクサペム（Maxapem）１５（登録商標）：サブチリシンＢＰＮ及びＢＰＮ’：プロテアーゼＢ；プロテアーゼＡ；プロテアーゼＤ；プリマーゼ（Primase）（登録商標）；デュラジム（Durazym）（登録商標）；オプティクリーン（Opticlean）（登録商標）；及びオプティマーゼ（Optimase）（登録商標）；及びアルカラーゼ（Alcalase）（登録商標）から選択する。
８：式Ａ〜Ｉのいずれかの金属錯体染料など
【０１００】
【表２】
2008516047.tif 000021
1例えば、ダウ・コーニング（Dow Corning）ＡＦエマルション又はポリジメチルシロキサン
2式Ａ〜Ｉのいずれかの金属錯体染料など
【０１０１】
【表３】
2008516047.tif 000022
1米国特許第４，８９１，１６０号（ファンデルメール（VanderMeer）ら）に従う１つ以上のポリマー
2ＰＣＴ国際公開特許ＷＯ００／１０５９２３号（プライス（Price）ら）に従う１つ以上のポリマー
3式Ａ〜Ｉのいずれかの金属錯体染料など
【０１０２】
【表４】
2008516047.tif 000023
1Ｃ8〜10アミドプロピルジメチルアミン
2非晶質ケイ酸ナトリウム（ＳｉＯ2：Ｎａ2Ｏ；２．０比）
3０．１〜１０マイクロメートルの範囲の一次粒径を有する式Ｎａ12（Ａ１０2ＳｉＯ2）12。２７Ｈ2Ｏの水和アルミノケイ酸ナトリウム
4２００μｍ〜９００μｍの粒径を有する無水炭酸ナトリウム
5４：１アクリル酸／マレイン酸、約７０，０００の平均分子量、又は６：４のアクリル酸／マレイン酸、約１０，０００の平均分子量）
6米国特許第４，６５９，８０２号（ルービンク（Rubingh）ら）実施例２ａ
7式Ａ〜Ｉのいずれかの金属錯体染料など
8プロテアーゼ−ノボザイム（Novozyme）のサビナーゼ（SAVINASE）（登録商標）、又はジェネンコア・インターナショナル（Genencor Int. Inc.）から販売されているＰＣＴ国際公開特許ＷＯ９５／１０５９１号に記載されているような１種以上の酵素。
【０１０３】
アルカラーゼ−ノヴォ・インダストリーズＡ／Ｓ（NOVO Industries A/S）から販売されるようなもの。
【０１０４】
セルラーゼ−ノヴォ・インダストリーズＡ／Ｓ（NOVO Industries A/S）から販売される、商標名ケアザイム（CAREZYME）（登録商標）のようなもの。
【０１０５】
アミラーゼ−ノヴォ・インダストリーズＡ／Ｓ（NOVO Industries A/S）から販売される、商標名ターマミル（TERMAMYL）１２０Ｔ（登録商標）のようなデンプン分解酵素、ＰＣＴ／ＵＳ９７０３６３５に開示されるようなデンプン分解酵素。  リパーゼ−２．０重量％の活性酵素の活性酵素を有する脂肪分解酵素、（ノヴォ・インダストリーズＡ／Ｓ（NOVO Industries A/S）から商標名リポラーゼ（LIPOLASE）（登録商標）として販売されているもの）。２．０重量％の活性酵素を有する脂肪分解酵素（ノヴォ・インダストリーズＡ／Ｓ（NOVO Industries A/S）から商標名リポラーゼ・ウルトラ（LIPOLASE ULTRA）（登録商標）として販売）。
【０１０６】
エンドラーゼ（Endolase）−１．５重量％の活性酵素を有するエンドグルカナーゼ酵素（ノヴォ・インダストリーズＡ／Ｓ（NOVO Industries A/S）から販売されているもの）。
【０１０７】
【表５】
2008516047.tif 000024
1トリポリリン酸ナトリウム
2ゼオライトＡ：式Ｎａ12（Ａ１０2ＳｉＯ2）12の、平均分子量の範囲が０．１〜１０マイクロメーターの水和アルミノケイ酸ナトリウム
3米国特許第４，６６１，２８８号に従うポリマー
4式Ａ〜Ｉのいずれかの金属錯体染料など
5泡抑制剤
6Ｍｗ＝４５００
【０１０８】
【表６】
2008516047.tif 000025
1Ｎ，Ｎ−ジ（タローオイルオキシエチル）−Ｎ，Ｎ−ジメチルアンモニウムクロライド
2Ｎ，Ｎ−ジ（キャノーラ−オイルオキシエチル）−Ｎ，Ｎ−ジメチルアンモニウムクロライド
3メチルビス（タローアミドエチル）２−ヒドロキシエチルアンモニウムメチルサルフェート
4アミロースを２５〜９５％含有し、置換度が０．０２〜０．０９である、一般的なトウモロコシデンプン又はバレイショデンプンが基となるカチオンデンプン。セレスター（Cerestar）から商標名Ｃ＊ＢＯＮＤ（C*BOND）（登録商標）、及びナショナルスターチ（National Starch）から商品名ＣＡＴＯ（CATO）（登録商標）Ａ２が入手可能。
5２，２，４−トリメチル−１、３−ペンタンジオール
6９つのＥＯ基を有するＣ９〜Ｃ１１のアルキルポリエチレンオキシド
7ポリオキシプロピレン−ポリオキシエチレンブロックコポリマー（ＭＷ＝約２０００）
8米国特許第５，５７４，１７９号の明細書、第１５欄、１〜５行目の式を有するエチレンオキシドとテレフタレートとのコポリマーであって、式中、各Ｘはメチルであり、各ｎは４０であり、ｕは４であり、各Ｒ1は本質的に１，４−フェニレン部分であり、各Ｒ2は、本質的にエチレン、１，２−プロピレン部分、又はそれらの混合物である。
9ジエチレントリアミン五酢酸
10ローム・アンド・ハース社（Rohm and Haas Co.）から入手可能なケーソン（登録商標）ＣＧ
11ＤＣ２３１０の商標名でダウ・コーニング社（Dow Corning Corp.）から入手可能なシリコーン消泡剤
12ジエチレントリアミンペンタ（メチレンホスホン酸）
13２−ホスホノブタン−１，２，４−トリカルボン酸
14式Ａ〜Ｉのいずれかの金属錯体染料など
【０１０９】
本発明の特定の実施形態について説明し記載したが、本発明の精神及び範囲から逸脱することなく他の様々な変更及び修正が可能であることが当業者には自明である。したがって、本発明の範囲内にある前記変更及び修正の全てを、添付の特許請求の範囲で扱うものとする。
【国際調査報告】
2008516047.tif 000042
2008516047.tif 000043
2008516047.tif 000044